(57)【要約】【課題】  適確に浸水を感知してこれを外部に確実に報知することができる操作ボタン装置を提供する。【解決手段】  外部からの押圧操作又はタッチ操作に応答して指示を受け付ける操作ボタン装置２であって、装置内部に設けられ、水の侵入を感知する水感知センサ１４と、水感知センサが水を感知したことを外部に報知する報知手段（ＬＥＤ光源２６）と、を備える。【選択図】図２
2018079996.tif 000002
【特許請求の範囲】
【請求項１】
外部からの押圧操作又はタッチ操作に応答して指示を受け付ける操作ボタン装置であって、
装置内部に設けられ、水の侵入を感知する水感知センサと、
前記水感知センサが水を感知したことを外部に報知する報知手段と、
を備えることを特徴とする操作ボタン装置。
【請求項２】
前記報知手段は、外部からの押圧操作またはタッチ操作に応答して点灯する照明光源であり、
当該照明光源は、前記水感知センサと接続され、前記水感知センサが水を感知すると点灯して、装置内への水の侵入を外部に報知する、
ことを特徴とする請求項１に記載の操作ボタン装置。
【請求項３】
前記照明光源は、ＬＥＤ光源であり、かつ、当該ＬＥＤ光源よりも高い輝度を有する高輝度ＬＥＤ光源を更に備え、
前記高輝度ＬＥＤ光源は前記水感知センサが水を感知した際に点灯して装置内に侵入した水を蒸発させる、
ことを特徴とする請求項２に記載の操作ボタン装置。
【請求項４】
前記装置内にヒートシンクを備え、
前記ＬＥＤ光源又は高輝度ＬＥＤ光源が点灯した際に発生する熱を周囲に拡散して水の蒸発を促進させる、
ことを特徴とする請求項３に記載の操作ボタン装置。
【請求項５】
前記報知手段は、前記照明光源の点灯信号と連動して装置内部に水が侵入して異常が発生したことを示す異常信号を外部の管理装置に出力する、
ことを特徴とする請求項２乃至４の何れか１項に記載の操作ボタン装置。
【発明の詳細な説明】
【技術分野】
【０００１】
本発明の実施形態は、操作ボタン装置に関する。
【背景技術】
【０００２】
エレベータのかご内や乗場には押しボタン式の操作ボタン装置が設置されている。このような操作ボタン装置は、エレベータに限られず、プラントの制御装置、カメラ等、種々の装置の入力部分に使用されている。
【０００３】
ところが、操作ボタン装置内に雨水が侵入したり、結露が生じたりすると、内部の電装部品が故障することがある。装置内への水の侵入は、清掃時においても可能性がある。
【先行技術文献】
【特許文献】
【０００４】
【特許文献１】特開２０１２−１０６８４７号公報
【発明の概要】
【発明が解決しようとする課題】
【０００５】
しかし、屋外に設置されるエレベータ等の特殊な仕様を除いて、一般的な操作ボタン装置には、簡易な被水対策が施されている程度にすぎない。
【０００６】
また、操作ボタン装置内への浸水を感知する技術もあるが、適確に浸水を感知してこれを報知する技術は知られていない。
【０００７】
上記事情に鑑み本発明の実施形態は、適確に浸水を感知してこれを外部に確実に報知することができる操作ボタン装置を提供することを目的としている。
【課題を解決するための手段】
【０００８】
上記目的を達成するための態様は、外部からの押圧操作又はタッチ操作に応答して指示を受け付ける操作ボタン装置であって、装置内部に設けられ、水の接触を感知する水感知センサと、前記水感知センサが水を感知したことを外部に報知する報知手段と、を備えることを特徴としている。
【図面の簡単な説明】
【０００９】
【図１】エレベータ乗場の操作ボタン装置の外観を示す説明図。
【図２】第１実施形態における操作ボタン装置の内部構造を示す説明図。
【図３】第１実施形態における押しボタン基板の構成を示す説明図。
【図４】第１実施形態における操作ボタン装置の電気的構成を示す説明図。
【図５】第２実施形態における押しボタン基板の構成を示す説明図。
【図６】第２実施形態における操作ボタン装置の電気的構成を示す回路図。
【図７】第３実施形態における操作ボタン装置の内部構造を示す説明図。
【図８】図７に示すヒートシンク型補強板の構成を示す説明図。
【図９】第４実施形態における操作ボタン装置の電気的構成を示す説明図。
【図１０】第４実施形態における処理手順を示すフローチャート。
【発明を実施するための形態】
【００１０】
＜第１実施形態＞
図１は実施形態に係る操作ボタン装置の外観構成を示し、図２は実施形態に係る操作ボタン装置を裏面側から見た構成を示している。
【００１１】
この実施形態では、エレベータの乗場操作盤に設けられた押しボタン装置を想定しており、図１に示すように、操作ボタン装置２は、乗場操作盤の操作面を構成するフェースプレート４と、フェースプレート４の開口４ａにフェースプレート４の裏面側から取り付けられるボタントップ６とを備えている。
【００１２】
図２に示すように、フェースプレート４の裏面側には、スペーサ８と、押しボタン基板１０と、補強板１２とが設けられている。
【００１３】
実施形態の操作ボタン装置２には、フェースプレート４の裏面側に水感知センサ１４が取り付けられている。水感知センサ１４の一側部にはコネクタ端子１６が設けられ、このコネクタ端子１６は押しボタン基板１０と接続される。水感知センサ１４、スペーサ８と、押しボタン基板１０と、補強板１２とがこの順番で取付スタッド１８及び取付ねじ２０によって組み立てられ、操作ボタン装置２が構成されている。
【００１４】
ボタントップ６は、透明なアクリル樹脂等で構成され、押し操作された際に、後述するＬＥＤ光源からの照射光を透過して、利用者からの操作受付を報知する。スペーサ８は、その厚みを変更することによってボタントップ６の突き出し寸法を調整する。
【００１５】
押しボタン基板１０は、図３に示すように、押しボタンスイッチ２２と、コネクタ２４と、ＬＥＤ光源２６とを備えている。押しボタンスイッチ２２は、エレベータ利用者によるボタントップ６の押圧操作に応答してスイッチ接点を閉じて、利用者からの指示を受け付ける。コネクタ２４は、水感知センサ１４に設けられたコネクタ端子１６と接続されるとともに、後述する制御盤４０と接続されている。ＬＥＤ光源２６は、４個のＬＥＤ素子が配列されており、押しボタンスイッチ２２のオン操作に応答して点灯する。また、このＬＥＤ光源２６は、水感知センサ１４が浸水を感知した際にも点灯して内部に侵入した水分を蒸発させるために寄与する。
【００１６】
補強板１２は、操作ボタン装置２を背面側から補強して押しボタン基板１０を保護する。
【００１７】
水感知センサ１４は、浸水によって内部抵抗の抵抗値が変化すると電流が流れ、浸水を感知する機能を有する。
【００１８】
図４は、第１実施形態における操作ボタン装置２の電気的な構成を示している。
【００１９】
操作ボタン装置２は、エレベータの昇降路上部に設置された制御盤４０と端子Ｔ１〜Ｔ７を介して相互に接続されている。
【００２０】
図４において、利用者によってボタントップ６が押圧操作され、押しボタンスイッチ２２が押圧されると、その接点ＳＷが閉じ、スイッチ信号が制御盤４０に端子Ｔ５，Ｔ６を介して送信される。これに応答して制御盤４０から点灯信号が出力されると、端子Ｔ３，Ｔ４を介して入力する。これにより、ＬＥＤ光源２６が点灯し、利用者からの指示があって旨を報知する。
【００２１】
端子Ｔ１，Ｔ２には、制御盤４０から、点灯信号に相当する電圧が常時入力されている。端子Ｔ１，Ｔ２は、水感知センサ１４に接続されているが、浸水が感知されていないときには、抵抗Ｒ１，Ｒ２によって、点灯信号に相当する電流が阻止されている。浸水があると、水感知センサ１４内の抵抗Ｒ１，Ｒ２の抵抗値が下がり、点灯信号が流れて、ＬＥＤ光源２６が点灯する。これによって、ボタントップ６が押圧操作されていないのにＬＥＤ光源２６が点灯することで、操作ボタン装置２の内部に水が侵入したことを外部に報知することができる。また、ＬＥＤ光源２６が発熱して装置内部を暖めることで少量の水分であれば蒸発させることができる。
【００２２】
侵入した水が一定量以下になると、水感知センサ１４の抵抗Ｒ１，Ｒ２の抵抗値が上がるので、点灯信号の流れが停止し、ＬＥＤ光源２６が消灯する。
【００２３】
このように第１実施形態によれば、装置外部から装置内部に水が侵入した時点で確実に浸水を感知して、その旨を外部に報知することができる。従来であれば、浸水してから時間が経過して、水が乾燥した場合には、浸水があったことに気づかないので、内部の電気機器が破損する可能性があった。この点、実施形態の操作ボタン装置２では、浸水した時点で、ＬＥＤ光源２６が点灯することで、確実に浸水を外部に報知することができるので、浸水に起因する装置故障の発生を未然に防止することができる。
【００２４】
＜第２実施形態＞
図５は第２実施形態における操作ボタン装置２の押しボタン基板１０の構成を示している。なお、操作ボタン装置２の基本的な構成は図１、図２と同様であるため、両図を援用して説明する。
【００２５】
第２実施形態では、押しボタン基板１０に設けられているＬＥＤ光源２６に加えて、２個の高輝度ＬＥＤ光源２８を設けたことに特徴がある。高輝度ＬＥＤ光源２６は、４個のＬＥＤ光源２６の両端に１つずつ配設される構成が採用されており、浸水した際、高輝度に照射して、その熱により侵入した水を効率的に蒸発する機能を有する。
【００２６】
図６は第２実施形態における操作ボタン装置２の電気的な構成を示している。
【００２７】
図６に示すように、４個のＬＥＤ光源２６とは並列に２個の高輝度ＬＥＤ光源２８が配列されており、これらのＬＥＤ光源２６、高輝度ＬＥＤ光源２８は、水感知センサ１４に接続されている。
【００２８】
第１実施形態と同様、端子Ｔ１，Ｔ２には、制御盤４０から、点灯信号に相当する電圧が常時入力されている。浸水が感知されていないときには、抵抗Ｒ１，Ｒ２によって、点灯信号に相当する電流が阻止されている。浸水があると、水感知センサ１４内の抵抗Ｒ１，Ｒ２の抵抗値が下がり、点灯信号が流れて、ＬＥＤ光源２６が点灯するとともに、高輝度ＬＥＤ光源２８も点灯する。これによって、ボタントップ６が押圧操作されていないのにＬＥＤ光源２６が点灯することで、操作ボタン装置２の内部に水が侵入したことを外部に報知することができる。また、ＬＥＤ光源２６とともに高輝度ＬＥＤ光源２８が点灯するので、これらＬＥＤ光源２６、高輝度ＬＥＤ光源２８の発熱により装置内部を暖めることで水分を蒸発させることができる。なお、高輝度ＬＥＤ光源２８は、所定時間が経過後に点灯させるようにしてもよい。
【００２９】
このように第２実施形態によれば、第１実施形態と同様の効果を奏するとともに、高輝度ＬＥＤ光源２８の発熱によって、確実に装置内部の水分を蒸発させることができる。
【００３０】
＜第３実施形態＞
図７は第３実施形態における操作ボタン装置２の構成を示している。第３実施形態の特徴は、図２に示した補強板１２に代えてヒートシンク型補強板３０を採用した点にある。
【００３１】
図８に示すように、ヒートシンク型補強板３０の内面には、全体に渡って横方向に溝３２が形成されている。ヒートシンク型補強板３０の内面に溝３２を形成することにより、溝３２内に空気が入り込み、装置内に侵入した水の蒸発が促進される。
【００３２】
このように第３実施形態によれば、第１、第２実施形態と同様の効果を奏するとともに、ヒートシンク型補強板３０を設けたことにより、補強板としての強度を維持しつつ、効果的に浸水の蒸発を促進することができる。
【００３３】
＜第４実施形態＞
図９は第４実施形態の構成を示すブロック図、図１０は第４実施形態の処理手順を示すフローチャートである。
【００３４】
第１〜第３実施形態では、ＬＥＤ光源２６を点灯させることで装置内に水が侵入したことを報知している。第４実施形態では、ＬＥＤ光源２６を点灯させることで装置内に水が侵入したことを報知するとともに、制御盤４０を介して浸水した旨の異常信号を外部に出力するようにしている。
【００３５】
図９に示すように、装置内部に水が侵入してＬＥＤ光源２６及び高輝度ＬＥＤ光源２８が点灯すると、その点灯信号が端子Ｔ８を介して制御盤４０に通知される。制御盤４０は外部の保守遠隔管理システム４２と接続されており、異常信号を保守遠隔管理システム４２に出力する。保守遠隔管理システム４２は、一つのビル内の防災センターや、ビル外に設けられ複数のエレベータを一括管理する保守センター等で構成される。
【００３６】
図１０のフローチャートに示すように、水感知センサ１４は浸水の監視状態にあり（ステップＳ２）、浸水が感知されるとＬＥＤ光源２６が点灯する（ステップＳ４）。センサ感知が継続しない場合にはＬＥＤ光源２６を消灯させる（ステップＳ６，Ｓ８）。センサ感知が継続すると、次いで、高輝度ＬＥＤ光源２８が点灯する（ステップＳ１０）。制御盤４０は、センサ感知状態が所定時間以上に渡って継続する（ステップＳ１２）と、保守遠隔管理システム４２に対して異常信号を出力して異常発生を通知する（ステップＳ１４）。異常信号には、どのエレベータのどの操作ボタン装置２に異常が発生したかという情報が含まれる。異常通知後はＬＥＤ光源２６を消灯させる（ステップＳ８）。
【００３７】
このように第４実施形態によれば、第１〜第３実施形態と同様の効果を奏するとともに、制御盤４０は、水感知センサ１４の感知状態が所定時間以上に渡って継続すると、保守遠隔管理システム４２に対して異常を通知することができる。このため、保守遠隔管理システム４２は、異常信号を入力することによって、特定のエレベータの特定の操作ボタン装置２内に水が侵入し、浸水状態が継続していることを確実に検知することができる。
【００３８】
なお、各実施形態では、操作ボタン装置２としてエレベータの押しボタン装置を想定したが、エレベータに限られず、プラントの制御装置、カメラ等、種々の装置の入力部分の構成に適用可能である。
【００３９】
以上、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４０】
２…操作ボタン装置、４…フェースプレート、４ａ…開口、６…ボタントップ、８…スペーサ、１０…押しボタン基板、１２…補強板、１４…水感知センサ、１６…コネクタ端子、１８…取付スタッド、２０…取付ねじ、２２…押しボタンスイッチ、２４…コネクタ、２６…ＬＥＤ光源（報知手段）、２８…高輝度ＬＥＤ光源、３０…ヒートシンク型補強板、３２…溝、４０…制御盤（報知手段）、４２…保守遠隔管理システム（管理装置）。
【図１】
2018079996.tif 000003
【図２】
2018079996.tif 000004
【図３】
2018079996.tif 000005
【図４】
2018079996.tif 000006
【図５】
2018079996.tif 000007
【図６】
2018079996.tif 000008
【図７】
2018079996.tif 000009
【図８】
2018079996.tif 000010
【図９】
2018079996.tif 000011
【図１０】
2018079996.tif 000012
【手続補正書】
【提出日】平成29年11月6日(2017.11.6)
【手続補正１】
【補正対象書類名】特許請求の範囲
【補正対象項目名】全文
【補正方法】変更
【補正の内容】
【特許請求の範囲】
【請求項１】
エレベータの乗場操作盤に設けられ、外部からの押圧操作又はタッチ操作に応答して指示を受け付ける操作ボタン装置であって、
前記押圧操作又はタッチ操作に応答して点灯する照明光源と、
前記乗場操作盤の操作面を構成するフェースプレートの裏面に設けられ、水の侵入を感知する水感知センサと、
前記水感知センサと接続され、前記水感知センサが水を感知すると、前記照明光源を点灯させて装置内への水の侵入を外部に報知する報知手段と、
を備えることを特徴とする操作ボタン装置。
【請求項２】
前記照明光源は、ＬＥＤ光源であり、かつ、当該ＬＥＤ光源よりも高い輝度を有する高輝度ＬＥＤ光源を更に備え、
前記高輝度ＬＥＤ光源は前記水感知センサが水を感知した際に点灯して装置内に侵入した水を蒸発させる、
ことを特徴とする請求項１に記載の操作ボタン装置。
【請求項３】
外部からの押圧操作又はタッチ操作に応答して指示を受け付ける操作ボタン装置であって、
前記押圧操作またはタッチ操作に応答して点灯するＬＥＤ光源と、
前記ＬＥＤ光源よりも高い輝度を有する高輝度ＬＥＤ光源と、
装置内部に設けられ、水の侵入を感知する水感知センサと、
前記水感知センサが水を感知したことを外部に報知する報知手段と、
を備え、
前記報知手段は、前記水感知センサと接続され、前記水感知センサが水を感知すると前記ＬＥＤ光源を点灯させて装置内への水の侵入を外部に報知するとともに、
前記高輝度ＬＥＤ光源は前記水感知センサが水を感知した際に点灯して装置内に侵入した水を蒸発させる、
ことを特徴とする操作ボタン装置。
【請求項４】
前記装置内にヒートシンクを備え、
前記ＬＥＤ光源又は高輝度ＬＥＤ光源が点灯した際に発生する熱を周囲に拡散して水の蒸発を促進させる、
ことを特徴とする請求項２又は３に記載の操作ボタン装置。
【請求項５】
前記報知手段は、前記ＬＥＤ光源及び高輝度ＬＥＤ光源の点灯と連動して、装置内部に水が侵入して異常が発生したことを示す異常信号を外部の管理装置に出力する、
ことを特徴とする請求項２乃至４の何れか１項に記載の操作ボタン装置。